(57)【要約】【課題】  複数回の使用が可能でかつ、ディスプレイユニットの位置決め固定が容易なディスプレイユニットの搬送用プロテクタを提供する。【解決手段】  ディスプレイユニットの搬送用プロテクタ１は、中空二重壁構造を有する熱可塑性樹脂製である。搬送用プロテクタ１は、底壁２およびその外周に形成された周囲壁３を有し、底壁２を構成する内面壁および外面壁にはその一部を互いに溶着させることにより一体に形成された複数のリブ４が形成するとともに、外面壁を内面壁側へ窪ませてその底面を前記内面壁に溶着させた凹溝部を設けて補強材を配置する。凹溝部５の底面および補強材にはそれぞれ対応した位置に複数の貫通孔を有し、その一部は凹溝部５の底面と補強材を固定するための固定用孔８とし、その他はディスプレイユニットをプロテクタの底壁に取付けるための取付用孔１０とする。【選択図】      図１
2008137691.tif 000002
【特許請求の範囲】
【請求項１】
中空二重壁構造を有する熱可塑性樹脂製のプロテクタであって、
底壁およびその外周に形成された周囲壁を有し、
前記底壁を構成する内面壁および外面壁にはその一部を互いに溶着させることにより一体に形成された複数のリブが形成されているとともに、
前記外面壁を前記内面壁側へ窪ませてその底面を前記内面壁に溶着させた凹溝部を設け、
前記凹溝部内に補強材を配置した
ことを特徴とするディスプレイユニットの搬送用プロテクタ。
【請求項２】
前記凹溝部の底面および補強材にはそれぞれ対応した位置に複数の貫通孔を有し、
その一部は固定手段を挿通させることにより凹溝部の底面と補強材を固定するための固定用孔とし、その他は接続手段を挿通させることによりディスプレイユニットをプロテクタの底壁に取付けるための取付用孔とした
ことを特徴とする請求項１記載のディスプレイユニットの搬送用プロテクタ。
【請求項３】
前記補強材は断面略コの字状であり、
前記凹溝部に沿って配置されている
ことを特徴とする請求項１または２記載のディスプレイユニットの搬送用プロテクタ。
【発明の詳細な説明】
【技術分野】
【０００１】
本発明は、プラズマディスプレイユニット等の搬送用プロテクタであって、中空二重壁構造を有するディスプレイユニットの搬送用プロテクタに関するものである。
【背景技術】
【０００２】
従来、ディスプレイユニットの搬送用プロテクタとしては、金属製または樹脂製のものが知られている。例えば、特許３２５９０８５号公報および特許３６７５３５２号公報にはディスプレイユニットの背面にプロテクタを配置してネジ等により固定して包装箱またはコンテナに収納して搬送するものが開示されている。さらに、ＷＯ２００４−０５０５１１公報には、樹脂製のプロテクタであって金属板により補強したものが開示されている。
【特許文献１】ＷＯ２００４−０５０５１１公報
【特許文献２】特許３２５９０８５号公報
【特許文献３】特許３６７５３５２号公報
【発明の開示】
【発明が解決しようとする課題】
【０００３】
ところが、前記ＷＯ２００４−０５０５１１公報に開示されているプロテクタにあっては、単壁構造の底壁および側壁からなるプロテクタ本体に金属板を取り付ける構造であるため緩衝性に乏しく、さらに搬送時の温度変化により熱膨張を起こしやすくプロテクタ本体と金属板との熱膨張差による問題が生じやすい。また、プロテクタには底壁に形成した突起に対して金属板の穴を位置決め固定することが開示されているが、この場合には底壁から突出形成された突起が破損しやすく、突起が破損した場合には金属板を固定することができなくなり再使用することが困難となる。
【０００４】
そこで、本発明は、中空二重壁構造を有し、底壁の内面壁と外面壁の一部を一体に溶着させたリブを設けるとともに、補強材を配置するための凹溝部を形成し、凹溝部は底壁の外面壁を内面壁へ向けて窪まてその底面を溶着させたことにより、凹溝部内には補強材を固定するための固定用孔およびディスプレイユニットを取付けるための取付用孔が形成され、凹溝部に沿った形状の補強材が配置され、複数回の使用が可能なディスプレイユニットの搬送用プロテクタを提供することを目的とするものである。
【課題を解決するための手段】
【０００５】
本発明の請求項１に係るディスプレイユニットの搬送用プロテクタは、中空二重壁構造を有する熱可塑性樹脂製のプロテクタであって、底壁およびその外周に形成された周囲壁を有し、前記底壁を構成する内面壁および外面壁にはその一部を互いに溶着させることにより一体に形成された複数のリブが形成されているとともに、前記外面壁を前記内面壁側へ窪ませてその底面を前記内面壁に溶着させた凹溝部を設け、前記凹溝部内に補強材を配置したことを特徴とするものである。
【０００６】
本発明の請求項２に係るディスプレイユニットの搬送用プロテクタは、請求項１記載の構成において、前記凹溝部の底面および補強材にはそれぞれ対応した位置に複数の貫通孔を有し、その一部は固定手段を挿通させることにより凹溝部の底面と補強材を固定するための固定用孔とし、その他は接続手段を挿通させることによりディスプレイユニットをプロテクタの底壁に取付けるための取付用孔としたことを特徴とするものである。
【０００７】
本発明の請求項３に係るディスプレイユニットの搬送用プロテクタは、請求項１または２記載の構成において、前記補強材は断面略コの字状であり、前記凹溝部に沿って配置されていることを特徴とするものである。
【発明の効果】
【０００８】
本発明によれば、中空二重壁構造を有し、底壁の内面壁と外面壁の一部を一体に溶着させたリブを設けるとともに、補強材を配置するための凹溝部を形成し、凹溝部は底壁の外面壁を内面壁へ向けて窪まてその底面を溶着させたことにより、凹溝部内には補強材を固定するための固定用孔およびディスプレイユニットを取付けるための取付用孔が形成され、凹溝部に沿った形状の補強材が配置されるため、緩衝性が高く、複数回の使用による破損がなく、ディスプレイユニットの位置決め固定が容易なディスプレイユニットの搬送用プロテクタを得ることができる。
【発明を実施するための最良の形態】
【０００９】
図１は本発明に係るディスプレイユニットの搬送用プロテクタを示す斜視図、図２は図１のＡ−Ａ断面図、図３（ａ）は同上Ｂ−Ｂ断面図、（ｂ）はＣ−Ｃ断面図、図４は本発明に係るディスプレイユニットの搬送用プロテクタにディスプレイユニットを取り付けた態様を示す断面図である。
【００１０】
本発明に係るディスプレイユニットの搬送用プロテクタ１は、中空二重壁構造を有する熱可塑性樹脂製である。この搬送用プロテクタ１は、底壁２およびその外周に形成された周囲壁３を有し、前記底壁２を構成する内面壁および外面壁にはその一部を互いに溶着させることにより一体に形成された複数のリブ４が形成されているとともに、前記外面壁を前記内面壁側へ窪ませてその底面を前記内面壁に溶着させた凹溝部５が設けられており、前記凹溝部５内には補強材６が配置されている。
【００１１】
そして、前記凹溝部５の底面および補強材６にはそれぞれ対応した位置に複数の貫通孔を有しており、複数の貫通孔の一部は固定手段としてリベット７を挿通することにより凹溝部５の底面と補強材６を固定するための固定用孔８とし、その他の貫通孔はディスプレイユニット９を搬送用プロテクタ１の底壁に取付けるための取付用孔１０としている。前記補強材６は断面略コの字状であり、前記凹溝部５に沿って配置されている。搬送用プロテクタ１において、１１は開口窓、１２はハンドル用孔、１３は中空部、１４はリブの溶着部である。図４に示すように、ディスプレイユニットの搬送用プロテクタ１に収納したディスプレイユニット９は、取付用孔１０に螺入した複数のネジ１５により固定して安定を保持する。
【００１２】
本発明に係るディスプレイユニットの搬送用プロテクタ１は熱可塑性樹脂をブロー成形等により中空二重壁構造に形成されたものであり、内面壁と外面壁は複数のリブおよび凹溝部において一体に溶着されており、さらに凹溝部内に沿って補強材が配置されるため、緩衝性および剛性が高く、プロテクタの底壁から補強材が露出しないため取り扱いが容易で、さらにプロテクタを積み重ねた際にディスプレイユニットを傷つけることがない。
【００１３】
プロテクタ１を形成する熱可塑性樹脂はポリスチレン樹脂等が好適に用いられ、特に剛性を向上させる観点から耐衝撃性ポリスチレン（ＨＩＰＳ）を２０〜５０ｗｔ％混合したものが好ましい。さらに、プラズマディスプレイユニットのようにガラス基盤に各種電極を配置したものにあってはプロテクタを装着させた状態で当該モジュールの検査を行なうためプロテクタを構成する熱可塑性樹脂には界面活性剤、カーボンブラック、金属化合物、多価アルコール等の静電防止剤を配合することが好ましく、ポリエチレングリコール系ポリアミド共重合体などの多価アルコールが特に好ましい。
【図面の簡単な説明】
【００１４】
【図１】本発明に係るディスプレイユニットの搬送用プロテクタを示す斜視図である。
【図２】図１のＡ−Ａ断面図である。
【図３】（ａ）は同上Ｂ−Ｂ断面図、（ｂ）はＣ−Ｃ断面図である。
【図４】本発明に係るディスプレイユニットの搬送用プロテクタにディスプレイユニットを取り付けた態様を示す断面図である。
【符号の説明】
【００１５】
１  ディスプレイユニットの搬送用プロテクタ
２  底壁
３  周囲壁
４  リブ
５  凹溝部
６  補強材
７  リベット
８  固定用孔
９  ディスプレイユニット
１０  取付用孔
１１  開口窓
１２  ハンドル用孔
１３  中空部
１４  溶着部
１５  ネジ
【図１】
2008137691.tif 000003
【図２】
2008137691.tif 000004
【図３】
2008137691.tif 000005
【図４】
2008137691.tif 000006